(57)【特許請求の範囲】
【請求項１】
光信号の分散補償の方法であって、
複数のチャネルを備える光信号を受信する工程であって、前記チャネルのうちの1つ又は複数の第１の組において通信される情報は第１の変調手法を用いて変調され、前記チャネルのうちの1つ又は複数の第２の組において通信される情報は第２の変調手法を用いて変調される工程と、
前記第１のチャネル組の分散補償が完全であるように、かつ前記第２のチャネル組の分散補償が不完全であるように前記光信号における光学分散を補償する工程と、
前記光信号を少なくとも前記光信号の第１の複製と前記光信号の第２の複製とに分離する工程と、
前記第１の複製における前記第２のチャネル組を終端させる工程と、
前記第２のチャネル組の分散補償が完全であるように前記第２の複製に対して更なる分散補償を行う工程と、
前記第２の複製における前記第１のチャネル組を終端させる工程とを備えることを特徴とする方法。
【請求項２】
請求項1記載の方法であって、
前記第１のチャネル組において通信される情報は１０GB/秒で通信され、
前記第２のチャネル組において通信される情報は４０GB/秒で通信されることを特徴とする方法。
【請求項３】
請求項1記載の方法であって、前記光信号の前記第１の複製及び前記第２の複製における残りのチャネルを合成して、補償された光信号を形成する工程を更に備えることを特徴とする方法。
【請求項４】
請求項1記載の方法であって、
前記第２の複製に対して分散補償を行う前に、前記第２の複製を第３の複製及び第４の複製に分離する工程であって、前記更なる分散補償は前記第４の複製に対して行われる工程と、
前記第３の複製の前記チャネルを逆多重化する工程と、
前記第３の複製の前記チャネルのうちの1つ又は複数における情報を1つ又は複数のクライアント装置にドロップする工程とを備えることを特徴とする方法。
【請求項５】
請求項4記載の方法であって、
前記第２のチャネル組にある、前記クライアント装置にドロップされる前記チャネルの何れかに対して更なる分散補償を行う工程を更に備えることを特徴とする方法。
【請求項６】
複数のチャネルを備える光信号を受信するよう動作可能な光学分散補償システムであって、前記チャネルのうちの1つ又は複数の第１の組において通信される情報は第１の変調手法を用いて変調され、前記チャネルのうちの1つ又は複数の第２の組において通信される情報は第２の変調手法を用いて変調され、
前記第１のチャネル組の分散補償が完全であるように、かつ前記第２のチャネル組の分散補償が不完全であるように前記光信号における光学分散を補償するよう動作可能な第１の分散補償装置と、
前記光信号を前記第１の分散補償装置から受信し、少なくとも前記光信号の第１の複製と前記光信号の第２の複製とに分離するよう動作可能なカプラと、
前記第２の複製を受信し、前記第２のチャネル組の分散補償が完全であるように前記第２の複製に対して更なる分散補償を行うよう動作可能な第２の分散補償装置と、
前記光信号の前記第１の複製内の前記第２のチャネル組を終端させるよう動作可能であり、前記光信号の前記第２の複製内の前記第１のチャネル組を終端させるよう動作可能なスイッチとを備えることを特徴とするシステム。
【発明の詳細な説明】
【技術分野】
【０００１】
本発明は一般に光ネットワークに関し、特に、光信号における光学分散を補償する方法及びシステムに関する。
【背景技術】
【０００２】
通信システム、ケーブル・テレビ・システム及びデータ通信ネットワークは、光ネットワークを用いて、遠隔地点間で大量の情報を高速で伝達する。光ネットワークでは、情報は、光ファイバーを介して光信号の形式で伝達される。光ファイバーは、非常に低い損失で長距離にわたって信号を通信することができる薄いガラスより線を備える。光ネットワークは多くの場合、波長分割多重化（WDM）又は高密度波長分割多重化（DWDM）を用いて伝送容量を増加させる。WDMネットワーク及びDWDMネットワークでは、いくつかの光チャネルを各ファイバー内で異なる波長で搬送させ、それによってネットワーク容量を増加させる。
【発明の開示】
【発明が解決しようとする課題】
【０００３】
異なる波長から成る光信号は、光学分散を受ける。これは、異なる周波数を備えたスペクトル成分に光波を分離させるという、場合によっては望ましくない現象である。光学分散が生じるのは、異なる波長が異なる速度で伝搬するからである。光学分散によって光波がそのそれぞれのチャネルに分離されることによって、特定の光信号の光学分散を補償することが必要になる。
【課題を解決するための手段】
【０００４】
本発明の特定の実施例によれば、光信号における光学分散を補償する方法は、複数のチャネルを備える光信号を受信する工程を含む。第１の1つ又は複数のチャネル組において通信される情報は第１の変調手法を用いて変調され、第２の1つ又は複数のチャネル組において通信される情報は第２の変調手法を用いて変調される。上記方法は、第１のチャネル組の分散補償が完全であるように、かつ第２のチャネル組の分散補償が不完全であるように光信号における光学分散を補償する工程も含む。更に、上記方法は、少なくとも第１の光信号複製及び第２の光信号複製に光信号を分離する工程と、第１の複製における第２のチャネル組を終端させる工程と、第２のチャネル組の分散補償が完全であるように第２の複製に対して更なる分散補償を行う工程と、第２の複製における第１のチャネル組を終端させる工程とを含む。
【０００５】
本発明の別の実施例によれば、光信号の分散補償の方法は、複数のチャネルを備える光信号を受信する工程を備える。第１の1つ又は複数のチャネル組において通信される情報は第１の変調手法を用いて変調され、第２の1つ又は複数のチャネル組において通信される情報は第２の変調手法を用いて変調される。上記方法は、第１のチャネル組の分散補償が完全であるように、かつ第２のチャネル組の分散補償が不完全であるように光信号における光学分散を補償する工程も含む。更に、上記方法は、光信号の構成チャネルに光信号を逆多重化する工程と、第２のチャネル組の分散補償が完全であるように第２のチャネル群に対して更なる分散補償を行う工程とを含む。更に、上記方法は、第１のチャネル群及び第２のチャネル群を多重化して補償光信号を形成する工程を含む。
【０００６】
本発明の更に別の実施例によれば、光信号の分散補償の方法は、複数のチャネルを備える光信号を受信する工程を含む。第１の1つ又は複数のチャネル組において通信される情報は第１の変調手法を用いて変調され、第２の1つ又は複数のチャネル組において通信される情報は第２の変調手法を用いて変調される。更に、上記方法は、光信号のチャネル全てにわたって光信号における光学分散を一様に過剰償する工程を含む。
【０００７】
本発明の１つ又は複数の実施例の技術上の利点は、異なる変調手法又は異なるビットレートを用いて変調されたデータを搬送する複数のチャネルから成る光信号に対して完全な光学分散補償を行うことを含み得る。例えば、本発明の1つ又は複数の実施例は、毎秒１０ギガビットのノンリターンツーゼロ・チャネルと、毎秒40ギガビットの差動位相シフト・キーイング・チャネル又は差動直交位相シフト・キーイング・チャネルから成るWDM信号の完全な光学分散補償を行い得る。よって、両方のチャネル組の特性は、完全な光学分散補償の後、最適又は近最適になる。
【０００８】
本発明の１つ又は複数の実施例の技術上の利点は、信号において違ったふうに変調されたチャネル全てにわたって一様に光学分散過補償を行うことによってネットワークにわたる信号特性を向上させることも含み得る。全チャネルにわたって過補償を行うことによって、信号内のチャネル間作用を最適に、又は近最適に削減することができる。チャネル間作用の削減によって信号の特性が向上し得る。
【０００９】
本発明の実施例によって、別々の変調形式を備えたチャネルから成る光信号に対して光学分散補償を行ううえで経済的かつ効率的なシステム及び方法も可能になり得る。本発明の1つ又は複数の実施例は、光ネットワークにおいて現在用いられているシステム構成部分を含み得るものであり、又は、現在用いられている構成部分の経済的に効率的な更新、又は現在用いられている構成部分への経済的に効率的な追加を可能にし得る。
【００１０】
なお、本発明の種々の実施例は、列挙した技術上の利点の一部若しくは全部を含み得るものであるか、又はそうした利点を何ら含まないことがあり得る。更に、本発明の技術上の他の利点が、本願記載の添付図面、明細書及び特許請求の範囲によって当業者に容易に明らかであり得る。
【発明を実施するための最良の形態】
【００１１】
本発明並びにその特徴及び利点の更に徹底的な理解のために、添付図面とともに検討される以下の明細書を次に参照する。
【実施例】
【００１２】
図１は、例示的な光ネットワーク１０を示す。光ネットワーク１０は、光ネットワーク１０の構成部分によって通信される1つ又は複数の光信号を伝送するよう動作可能な1つ又は複数の光ファイバー２８を含む。光ファイバー２８によって互いに結合される光ネットワーク１０の構成部分は、終端ノード12a及び12b、並びに1つ又は複数の光アッド／ドロップ多重化装置（OADM）３１（例えば、OADM31a及び31b）を含む。光ネットワーク１０は終端ノードを備えたポイントツーポイント光ネットワークとして示すが、光ネットワーク１０は、リング型光ネットワーク、メッシュ型光ネットワーク、又は何れかの他の適切な光ネットワーク、若しくは光ネットワークの組み合わせとして構成することもできる。光ネットワーク１０は、短距離メトロポリタン・ネットワーク、都市間長距離ネットワーク、又は何れかの他の適切なネットワーク、若しくはネットワークの組み合わせにおいて用いることができる。
【００１３】
終端ノード12aは、送信器１４及び１６、多重化装置１８、並びに増幅器２６を含む。送信器１４及び１６は、光信号を送信するよう動作可能な何れかの送信器又は他の適切な装置を含む。各送信器１４又は１６は、情報を受信し、光の1つ又は複数の波長を変調してその波長上の情報を符号化する。光ネットワーキングでは、光の波長はチャネルとも呼ばれている。各送信器１４又は１６も、関連付けられた波長上で光学的に符号化されたこの情報を送信するよう動作可能でもある。多重化装置１８は、別々のチャネルを一信号に合成するよう動作可能な何れかの多重化装置、若しくは多重化装置の組み合わせ、又は他の装置を含む。多重化装置１８は、ファイバー２８に沿って通信するよう、送信器１４及び１６によって送信される異なるチャネルを光信号に合成するよう動作可能である。
【００１４】
増幅器２６を用いてマルチチャネル信号を増幅することができる。増幅器２６を、特定の長さのファイバー２９の前及び／又は後に配置させることができる。増幅器２６は、光信号を増幅する光中継器を備え得る。この増幅は、光・電気変換又は電気・光変換なしで行うことができる。特定の実施例では、増幅器２６は稀土類元素によって添加された光ファイバーを備え得る。信号がファイバーを通過すると、光ファイバーの添加部分の原子を励起するよう外部エネルギが印加され、それによって、光信号の強度が増加する。例として、増幅器２６はエルビウム添加ファイバー増幅器（EDFA）を備え得る。しかし、何れかの他の適切な増幅器２６を用いることができる。
【００１５】
単一の光信号の複数チャネルで情報を通信する処理は、光学では、波長分割多重化（WDM）として呼ばれている。高密度波長分割多重化（DWDM）は、通常、４０を上回る多数（高密度）の波長をファイバーに多重化することを表す。WDM、DWDMや他の複数波長伝送手法を光ネットワークにおいて用いて光ファイバー毎の合計帯域幅を増加させる。WDM又はDWDMなしでは、ネットワークにおける帯域幅は単に一波長のビットレートに制限されることになる。帯域幅が大きいほど、光ネットワークはより多くの量の情報を送信することができる。図１をもう一度参照すれば、光ネットワーク１０における終端ノード12aは、WDM、DWDM、又は他の適切なマルチチャネル多重化手法を用いて、異なるチャネルを送信し、多重化し、マルチチャネル信号を増幅するよう動作可能である。
【００１６】
前述のように、光ネットワークを介して送信することが可能な情報量は、情報によって符号化され、一信号に多重化される光チャネルの数によって直接変動する。よって、WDMを用いる光信号は、単に一チャネルを介して情報を搬送する光信号よりも多くの情報を搬送し得る。DWDMはなお多くの情報を搬送し得る。搬送されるチャネル数に加えて、光ネットワークを介して伝送することが可能な情報量に影響を及ぼす別の要因は、伝送のビットレートである。ビットレートが大きいほど、より多くの情報を伝送することができる。
【００１７】
光ネットワーク容量における拡充及び更新は、一光信号に多重化される波長の数の増加又は各波長上で進む情報のビットレートの増加を伴う。何れの場合も、通常、光システム全体を置き換えるよりも既存のネットワーク構成部分を使用、修正又は追加するほうが費用効率は高い。光システムの更新の費用に関する理由で、更新は場合によっては、より大きい帯域幅を提供する新たな技術及びより小さな帯域幅を提供する旧い技術をサポートしなければならない段階において行わなければならない。
【００１８】
今日、既存の多くのネットワークは、毎秒１０ギガビット(GB/秒)で情報を伝送し、例えば、ノンリターンツーゼロ（NRZ）変調手法を用いて情報を変調する。信号伝送の更新は、例えば、光信号を変調するための差動位相シフト・キーイング（DPSK）又は差動直交位相シフト・キーイングを用いて４０GB/秒で情報を伝送することを含む。光ネットワーク全体の送信器の更新は、大半の光ネットワーク・オペレータにとって法外に高いことになるため、そうしたオペレータの多くは、代わりに、４０GB/秒のDPSK送信器又はDQPSK送信器によって既存の１０GB/秒のNRZ送信器を一定数ずつ置き換える（これらのタイプの送信器は例としてのみ用いている）ことによってそのネットワークを更新することを望んだ。
【００１９】
更新された送信器を既存の送信器と一体化させるという、費用効率の高いストラテジを実施したい者が直面する問題の１つに、光学分散補償の問題がある。既存のＷＤＭネットワーク及びＤＷＤＭネットワークでも、違う波長から成る光信号は、光学分散を受ける。光学分散は、光信号を、異なる周波数を備えたそのスペクトル成分に分離することを表す。異なる波長は異なる速度で伝搬するため、光学分散が生じる。光信号が既存の光ネットワークにわたって進み、光学分散を受けると、最適又は近最適な特性を達成するよう「完全な」光学分散補償を受け得る。本明細書及び特許請求の範囲では、「完全な」光学分散補償は、特定の変調手法についての最適又は近最適な光学分散補償を表す。特に設計された分散補償ファイバーは、同じ変調手法を用いて変調されたチャネルから成る光信号における分散を補償するよう開発されている。
【００２０】
更新された送信器も既存の送信器も用いるシステムは、別々の変調手法を用いるチャネルに対して光学分散補償を行う必要がある。生じる問題は、別々の変調手法を用いたチャネルの完全な光学分散補償が異なり得ることである。例えば、このことは、図２A及び図２Bに示すように、NRZ変調を用いて変調されたチャネル、及び、DPSK変調又はDQPSK変調を用いて変調されたチャネルにあてはまる。
【００２１】
前述のように、図２A及び図２Bにおけるグラフは、別々の２つのWDM光信号（１０GB/秒のNRZ信号、及び４０GB/秒のDPSK信号又はDQPSK信号）の最適な光学分散補償における差を示す。グラフの垂直軸は、累算光学分散を表す。グラフの水平軸は、光信号が進んだ距離（信号が進んだ光ファイバ・スパン数）を表す。ΔDLは、最適な特性の場合の、各スパン後に信号が表す残留光学分散を表す。
【００２２】
図２Aは、その信号の特性を最適にすることになる１０GB/秒のNRZチャネル組を備える信号の光学分散マップを示す。図２Aに示すように、１０GB/秒のNRZチャネルは、不足補償される場合、最適な特性を有する。すなわち、光信号がスパン毎に正のΔDLを表すように各スパン後に光信号において光学分散補償を行うことは、１０GB/秒のNRZチャネルの最適な特性につながる。
【００２３】
図２Bに示すように、４０GB/秒のDPSKチャネル組又はDQPSKチャネル組を備える信号は、チャネルが１００％補償を受ける場合に最適な特性を有する。すなわち、光信号がスパン毎にゼロのΔDLを表すように各スパン後に光信号に対して光学分散補償を行うことによって、４０GB/秒のDPSKチャネル又はDQPSKチャネルの最適な特性につながる。
【００２４】
図２A及び図２Bに示すように、完全な光学分散補償は、DPSK/DQPSK変調形式を用いたチャネルの場合とは、NRZ変調形式を用いたチャネルの場合は異なる。なお、再度述べることとするが、「完全な」光学分散補償は、特定の変調手法についての最適又は近最適な光学分散補償を表す。既存のネットワークでは、光学分散補償装置は、NRZ形式などの一変調形式を用いて、完全な光学分散補償を信号に対して行う。DPSK/DQPSK形式などの別の変調形式を用いる、更新された送信器が、ネットワークにおいて既存のNRZ送信器の傍らに組み入れられる場合、既存の光学分散補償装置は、更新された光信号の完全な光学分散補償を行わないことになる。
【００２５】
例えば、先行して全てNRZであったネットワークにおける既存の光学分散補償装置は、NRZチャネルの完全な光学分散補償を行い、DPSK/DQPSKチャネルの不完全な光学分散補償を行うことになる。別の光学分散補償装置に信号を通すことによって、DPSK/DQPSKの完全な光学分散補償をもたらす（残留光学分散がゼロに近い場合）が、既に補償されたNRZ信号における光学分散を過補償することになる。以下に記載する、本発明の実施例は、異なる変調形式を用いたチャネルを搬送する信号における完全な光学分散補償を備えるという問題に対処するものである。
【００２６】
図１中の例示的な実施例をもう一度参照すれば、ノード12aによって生成されるWDM信号は、別々の変調形式を用いるチャネル組を含む。特に、WDM信号は、NRZ変調を用いて１０GB/秒で情報を通信するチャネル組と、DPSK変調又はDQPSK変調を用いて４０GB/秒で情報を通信するチャネル組とを備える。しかし、異なるチャネル組は、何れかの適切なビットレートで、及び/又は何れかの適切な変調手法を用いて情報を通信することができる。例えば、1つ又は複数のチャネルは、１０GB/秒、２０GB/秒、４０GB/秒、８０GB/秒、８０超GB/秒のレート、又は何れかの他の適切なビットレートで情報を更に通信することができる。1つ又は複数のチャネルは更に、リターンツーゼロ（RZ）、キャリア抑制リターンツーゼロ（CS‐RZ）、NRZ、DPSK、DQPSKや何れかの他の適切な変調手法などの変調手法を用いて情報を更に通信することができる。本明細書及び特許請求の範囲では、チャネル「組」は、1つ又は複数のチャネルを含み得るものであり、チャネル間の何れかの空間的関係又は何れかの他の、規定していない関係（例えば、組内のチャネルが隣接していなくてもよい）を示唆するものでない。更に、本明細書及び特許請求の範囲に記載されているように、「情報」は、ネットワークにおいて通信、記憶又はソートされる何れかの情報を含み得る。この情報は、オーディオ、ビデオ、テキスト、リアルタイム、非リアルタイム及び/又は他の適切なデータを符号化するよう少なくとも１つの特性を変調させている場合がある。更に、光ネットワーク１０において通信される情報は、フレーム、パケット又は非構造化ビット・ストリームとして構成されるものに限定されないが、それらを含む何れかの適切なやり方で構造化し得る。
【００２７】
マルチチャネル信号が終端ノード12aから送信された後、信号は光ファイバー２８を介してOADM３１に進む。光ファイバー２８は、適宜、単一の一方向のファイバー、単一の双方向のファイバー、又は複数の一方向若しくは双方向のファイバーを含み得る。本明細書は、単純にするために、一方向のトラフィックをサポートする光ネットワーク１０の実施例に焦点を当てているが、本発明は、光ネットワーク１０に沿って逆方向に情報を送信することをサポートするために以下に説明する構成部分の適切に修正された実施例を含む双方向システムを更に想定している。
【００２８】
OADM３１は、増幅器２６及び関連した光学分散補償モジュール３０（DCM）、並びにアッド／ドロップ多重化装置（ADM）３２を含む。前述の通り、増幅器２６は、光ネットワーク１０をWDM信号が通って進むにつれて増幅するのに用いることができる。DCM３０は、信号、又は一変調手法を用いる信号を備えるチャネル組に対して光学分散補償を行うよう動作可能な何れかの分散補償ファイバー（DCF）や他の分散補償装置を含む。NRZやDPSK/DQPSKなどの別々の変調手法を用いたチャネルを備える信号の場合、DCM３０は、一変調手法を用いた一チャネル組に対する完全な光学分散補償、及び別の変調手法を用いた別のチャネル組に対する不完全な光学分散補償を行うよう動作可能であり得る。
【００２９】
前述のように、かつ図２A及び図２Bを参照すれば、DCM３０は違ったふうに変調されたチャネルについて異なる結果をもたらすが、それは、NRZ変調チャネル及びDPSK/DQPSK変調チャネルが、異なるレベルの残留光学分散によって最適に機能する。NRZ変調チャネルが、ある程度の残留分散によって最適に機能する一方、DPSK/DQPSK変調チャネルは、残留分散なしで最適に機能する。図１の例示的な実施例では、DCM３０は、１０GB/秒のNRZチャネルに対して、完全な分散補償を行い、４０GB/秒のDPSK/DPQSKチャネルに対して、不完全な分散補償を行う。光ネットワーク１０は、DCM３０がそれぞれの増幅器２６に結合されているものとして示しているが、DCM３０は、増幅器２６から別個に配置させることもできる。
【００３０】
ADM３２は、ファイバー２８との間で光信号のアッド及び/又はドロップを行うよう動作可能な何れかの装置、又は装置の組み合わせを含み得る。ADM３２は、関連したDCM３０によって分散補償が完了していない、光信号内の１つ又は複数のチャネル組における光学分散補償を完了するよう動作可能な何れかの、装置、又は装置の組み合わせも含み得る。ADM３２の種々の実施例を備える構成部分は、図３、図４及び図５に関して以下に更に全面的に説明する。やはり、本明細書記載の「完全な」光学分散補償は、特定の変調手法についての最適光学分散補償又は近最適光学分散補償を表す。
【００３１】
信号は、OADM３１を通過した後、ファイバー２８に沿って、終端ノード１２ｂに直接進み得るか、又は、１つ又は複数の更なるOADM３１（例えば、OADM３１ｂなど）を通過してから終端ノード１２ｂに達し得る。終端ノード１２ｂは、光ネットワーク１０を介して伝送される信号を受信するよう動作可能である。終端ノード１２ｂは、増幅器２６と、関連したDCM３０と、逆多重化装置２０と、受信器２２及び２４とを含む。前述の通り、増幅器２６は、光ネットワーク１０をWDM信号が通って進むにつれ、増幅するのに用い得るものであり、DCM３０は、一変調手法を用いる信号を備えるチャネル組に対して完全な光学分散補償を行い得る。やはり、光ネットワーク１０は、個別の増幅器２６にDCM３０が結合していることを示しているが、DCM３０は、増幅器２６から別個に配置させることもできる。
【００３２】
逆多重化装置２０は、WDM、DWDMや他の適切なマルチチャネル多重化手法を用いて多重化された異なるチャネルを分離するよう動作可能な何れかの逆多重化装置や他の装置を含む。逆多重化装置２０は、複数の多重化チャネルを搬送する光信号を受信し、光信号内の異なるチャネルを逆多重化し、異なるチャネルを別々の受信器２２及び２４に送るよう動作可能である。
【００３３】
受信器２２及び２４は、光信号を受信するよう動作可能な何れかの受信器や他の適切な装置を含む。各受信器２２又は２４は、符号化情報を搬送する光信号のチャネルを受信し、上記情報を電気信号に復調するよう動作可能である。受信器２２又は２４によって受信されるこうしたチャネルは、送信器１４及び１６によって送信されるチャネル及び/又はADM３２によってアッドされるチャネルを含み得る。
【００３４】
前述の通り、DCM３０は、一変調手法を用いる信号を備えるチャネル組のみを完全に補償する。例示的な光ネットワーク１０では、終端ノード１２ｂでのDCM３０は、１０GB/秒のNRZチャネル組についてのみ光学分散補償を完了する。図１中の光ネットワーク１０に示していないが、４０GB/秒のDPSK/DQPSKチャネルは、例えば、受信器２４で、チューニング可能な分散補償器を用いて終端ノード１２ｂで補償することもできる。よって、１０GB/秒のNRZも４０GB/秒のDPSK/DQPSK信号も、完全な光学分散補償を受ける。
【００３５】
動作上、終端ノード12aの送信器１４及び１６は、別々のチャネルを介して、異なるビットレートで、及び/又は、別々の変調手法を用いて情報を送信する。多重化装置１８は、これらの別々のチャネルを光信号に合成し、光ファイバー２８を介してこの信号を通信する。増幅器２６は、光信号を受信し、光ファイバー２８を介してこの信号を送る。光ファイバー２８はこの信号をOADM31aに伝送する。OADM31aの増幅器２６はこの信号を受信し、この信号を増幅し、この信号をOADM31aのDCM30に送る。やはり、OADM31aの増幅器２６は、DCM３０とは別個に、DCM３０の前に、又はDCM３０の後に配置させることができる。
【００３６】
OADM31aのDCM３０は、この信号を受信し、この信号に対して光学分散補償を行う。前述の通り、DCM３０は、違ったふうに変調されたチャネル組両方を最適に補償することが可能でない。図１の例示的な実施例では、DCM３０は、１０GB/秒のNRZチャネルに対して完全な分散補償を行い、４０GB/秒のDPSKチャネル又はDQPSKチャネルに対して不完全な分散補償を行い、この光信号を転送する。NRZチャネルの完全な分散補償は、１０GB/秒のNRZチャネルにおける最適な分散補償についての、図２Aに示す結果に相互に関連している。
【００３７】
DCM３０がこの信号に対して光学分散補償を行い、この信号を転送した後、OADM31aのADM３２がこの信号を受信する。この光信号を受信した後、ADM３２は、光信号との間でチャネルのドロップ及び/又はアッドを行い得る。ADM３２は又、DCM３０によって分散補償が完了されなかったチャネルに対して光学分散補償を完了する。図１の例示的な実施例では、ADM３２は、４０GB/秒のDPSK/DQPSKチャネルに対する光学分散補償を完了する。DPSK/DQPSKチャネルにおける完全な光学分散は、４０GB/秒のDPSK/DQPSKチャネルにおける最適な分散補償の場合の、図２Bに示す結果に相互に関連している。ADM３２は、1つ又は複数の補償されたNRZチャネル又はDPSK/DQPSKチャネル、及び1つ又は複数のアッドされたチャネル（チャネルがADM３２にアッドされた場合）を備える信号を次いで転送する。例示的な光ネットワーク１０には1つ又は複数のOADM３１が存在し得る。
【００３８】
信号が1つ又は複数のOADM３１（例えば、OADM31a及び31bなど）を通過した後、終端ノード12bのDCM３０は、転送された信号を受信し、信号に対して光学分散補償を行う。前述の通り、DCM３０は、違ったふうに変調されたチャネル組両方を最適に補償することが可能でない。図１の例示的な実施例では、DCM３０は、１０GB/秒のNRZチャネルに対して完全な分散補償を行い、４０GB/秒のDPSKチャネル又はDQPSKチャネルに対して不完全な分散補償を行い、光信号を転送する。
【００３９】
終端ノード12bの逆多重化装置２０は、この信号を受信し、この信号を信号の構成チャネルに逆多重化し、この信号の構成チャネルを通す。各チャネルは、終端ノード１２ｂの、関連した受信器２２又は２４によって受信され、転送される。図１に示していないが、完全な光学分散補償は、終端ノード12bでDCM３０によって補償されていない逆多重化チャネル組に対して行い得る。図１の例示的な実施例では、こうしたチャネルは、終端ノード12bで受信される、不完全に補償された４０GB/秒のDPSK/DQPSK信号になる。
【００４０】
前述の通り、光ネットワーク１０は、終端ノードを備えたポイントツーポイント光ネットワークとして示しているが、リング型光ネットワーク、メッシュ型光ネットワーク、又は何れかの他の適切な光ネットワーク、若しくは光ネットワークの組み合わせも構成することができる。
【００４１】
なお、特定の構成部分を示しているが、本発明の範囲から逸脱することなく、修正、追加又は省略を光ネットワーク１０に行うことができる。光ネットワーク１０の構成部分は、特定の必要性に応じて一体化させる、又は分離することができる。更に、光ネットワーク１０の動作は、より多くの構成部分、より少ない構成部分、又は他の構成部分であり得る。
【００４２】
図３は、本発明の特定の実施例による、光学分散を補償するＯＡＤＭ５０（図１のネットワークのＯＡＤＭ３１の一例）を示す構成図である。ＯＡＤＭ５０は、図１に示すように、増幅器２６及び関連したＤＣＭ３０を、ＡＤＭ５１（図１に示すＡＤＭ３２の一例）とともに含む。増幅器２６及びＤＣＭ３０は図１の例示的な実施例の説明において前述したが、こうした装置はもう一度説明しないものとする。しかし、増幅器２６及びＤＣＭ３０は図３において、合成されて示しているが、分離することもできる。
【００４３】
ADM５１は、光ネットワーク１０上で光信号を受信し、下記の通り、関連したDCM３０によって分散補償が完了していないチャネル組において光学分散補償を完了するよう動作可能である。図３の例示的な実施例では、ADM５１は、４０GB/秒のDPSK/DQPSKチャネルにおいて完全な光学分散補償を行うよう動作可能である。ADM５１は、カプラ３４及び３８、波長選択スイッチ（WSS）３６、関連した可変光減衰器（VOA）４１を備えた逆多重化装置４０、チューニング可能な分散補償器（TDC）４２及び４４、並びに増幅器４６及び４８を含み得る。
【００４４】
カプラ３４及び３８は、光信号を分離するよう動作可能な光ファイバー・カプラ又は他の光構成部分を備え得る。カプラ３４及び３８は、２つの光信号複製に光信号を分離するよう動作可能である。
【００４５】
WSS３６は、複数の光信号を受信し、各信号を信号の構成チャネルに逆多重化し、受信されたゼロ個、1個又は複数のチャネルを終端させ、残りのチャネル、及びアッドされた何れかのチャネルを多重化し、多重化信号を光ネットワーク１０に沿って送るよう動作可能な何れかのWSSや他の装置を備え得る。
【００４６】
逆多重化装置４０は、光信号を受信し、光信号におけるチャネルを逆多重化するよう動作可能な何れかの装置を備え得る。例えば、逆多重化装置４０は、WSS又はアレイ導波路格子（AWG）であり得る。しかし、何れかの他の適切な逆多重化装置４０を用いることができる。ＶＯＡ４１は、出力チャネルの電力レベルをバランスさせるよう動作可能なＶＯＡ又は何れかの別の装置を備え得る。
【００４７】
ＴＤＣ４２及び４４は、別々の変調手法を用いた複数のチャネル組のそれぞれにおいて光学分散を補償するよう動作可能な何れかの装置を備え得る。チューニング可能な装置を説明しているが、何れかの他の適切な補償装置を用いることができる。
【００４８】
増幅器４６及び４８は、図１に関して前述した増幅器２６と同じであり得るものであり、よって、再度説明しないものとする。２つの増幅器を例として示しているが、何れかの適切な数の増幅器（適切な場合、増幅器がないケースを含む）を用いることができる。
【００４９】
動作上、増幅器２６は、光ネットワーク１０上で通信される光信号を受信し、この光信号を増幅し、この光信号をDCM３０に転送する。前述の通り、光信号は、1つ又は複数の１０GB/秒のNRZチャネル、及び1つ又は複数の４０GB/秒のDPSK/DQPSKチャネルを含む。DCM３０は光信号を受信し、信号に対して光学分散補償を行う。例示的な実施例では、前述の通り、DCM３０は、１０GB/秒のNRZチャネル組に対して完全な分散補償を行い、４０GB/秒のDPSKチャネル組又はDQPSKチャネル組に対して不完全な分散補償を行う。NRZチャネルの完全な分散補償は、１０GB/秒のNRZチャネルにおける最適な分散補償の場合の、図２Aに示す結果と相互に関連している。図２A及び図２Bに示すように、DPSK/DQPSKチャネルが不完全な光学分散補償を受けることをNRZチャネルの完全な光学分散補償は表す。
【００５０】
ADM５１では、第１のカプラ３４は光信号をDCM３０から受信し、この光信号を２つの複製に分離し、第１の複製をWSS３６に送り、第２の複製をカプラ３８にドロップする。WSS３６は第１の複製を受信し、４０GB/秒のDPSKチャネル又はDQPSKチャネルを（そうしたチャネルは完全に補償されていないので）終端させ、それによって、完全に補償された10GB/秒のNRZチャネルが（特定のNRZチャネルにおいてトラフィックがアッドされない限り）、下記の通り、通ることが可能になる。
【００５１】
第２のカプラ３８は、第２の複製を受信し、第２の複製を更なる２つの複製（第３の複製及び第４の複製）に分離し、第３の複製を逆多重化装置４０にドロップし、第４の複製をTDC４４に送る。逆多重化装置４０は第３の複製を受信し、第３の複製のチャネルを分離する。VOA４１は次いで、分離チャネルのレベルを減衰させて、必要に応じて分離チャネルをバランスさせることができる。各チャネルを次いで、ADM５１の1つ又は複数のクライアント装置への通信（又は他の適切な宛先への通信）のために、関連した受信器にドロップすることができ、又は終端させることができる。１０GB/秒のNRZチャネルは、NRZチャネルが完全に補償されているので、ADM５１の関連受信器に直接ドロップすることができる。しかし、ドロップする対象の何れかの４０GB/秒のDPSK/DQPSKチャネルは、更に補償しなければならない。よって、別個のTDC４２は、ドロップする対象の４０GB/秒のDPSK/DQPSKチャネルを受信し、（図２Bに示すように）４０GB/秒のDPSK/DQPSKチャネル毎に光学分散補償を完了し、４０GB/秒のチャネルを、関連した受信器に転送する。
【００５２】
TDC４４は、第４の複製を受信し、（図２Bに示すように）４０GB/秒のDPSKチャネル又はDQPSKチャネルに対する分散補償を完了し、第４の複製を増幅器４６に転送する。なお、１０GB/秒のNRZチャネルは、TDC４４に入る前に既に完全に補償されているので、TDC４４から出力される１０GB/秒のNRZチャネルは過補償される。増幅器４６は第４の複製を受信し、第４の複製を増幅し、第４の複製をWSS３６に転送する。WSS３６は、第４の複製を受信し、１０GB/秒のNRZチャネルを（過補償されているので）終端させ、第１の複製からの、完全に補償された１０GB/秒のNRZチャネルと、完全に補償された４０GB/秒のDPSKチャネル又はDQPSKチャネルを合成する。しかし、WSS３６は、ADM５１が４０GB/秒のチャネルの宛先コードである場合、及び/又は、トラフィックが、（矢印４７によって示すように）そのチャネルにおいてADM５１でアッドされる場合、特定の４０GB/秒のDPSK/DQPSKチャネルを終端させることができる。WSS３６は、１０GB/秒のNRZチャネルのうちの1つ又は複数において、ADM５１から来るトラフィックをアッドすることもできる（この場合、第１の複製におけるこうしたチャネルは終端される）。WSS３６は次いで、補償された１０GB/秒のNRZチャネル、及び補償された４０GB/秒のDPSK/DQPSKチャネル、並びにアッドされた何れかのチャネルを備える新たな光信号を増幅器４８に転送する。増幅器４８は、新たな光信号を受信し、新たな光信号を増幅し、光ネットワーク１０に沿って、新たな光信号を送る。
【００５３】
前述のOADM５０は、４０GB/秒のDPSK/DQPKチャネル組及び１０GB/秒のNRZチャネル組における分散を補償するが、こうした２組のチャネルは、図１の説明において列挙したものを含む、前述のものとは異なるビットレート又は変調形式を有し得る。更に、OADM５０は、（例えば、違ったふうに補償する対象の、光信号の更なる複製をカプラ３８で作成することによって）別々の変調手法を用いる3組以上のチャネルにおいて光学分散を完全に補償することができる。
【００５４】
図４は、本発明の別の実施例による、光学分散を補償するOADM７０（図１のネットワークのOADM３１の一例）を示す構成図である。OADM７０は、図１に示すような増幅器２６及び関連したDCM３０を、ADM７１（図１に示すADM３２の一例）とともに含む。増幅器２６及びDCM３０は図１の例示的な実施例の説明において前述したので、これらの装置は再度説明しないものとする。しかし、増幅器２６及びDCM３０は、図４において、合成されて示しているが、増幅器２６及びDCM３０は分離することもできる。
【００５５】
ADM７１は、光ネットワーク１０上で光信号を受信し、前述の通り、関連したDCM３０によって分散補償が完了していないチャネル組における光学分散補償を完了するよう動作可能である。図４の例示的な実施例では、ADM７１は、４０GB/秒のDPSK/DQPSKチャネルにおいて完全な光学分散補償を行うよう動作可能である。ADM７１は、カプラ５２、５６及び６４と、WSS５４と、関連したVOA５９及び６７それぞれを備える逆多重化装置５８及び６６と、TDC６０と、増幅器６２及び６８とを含み得る。
【００５６】
カプラ５２、５６及び６４は、光信号を分離するよう動作可能な光ファイバー・カプラや他の光構成部分を備え得る。カプラ５２、５６及び６４は、２つの光信号複製に光信号を分離するよう動作可能である。
【００５７】
WSS５４は、複数の光信号を受信し、信号の構成チャネルに各信号を逆多重化し、受信されたゼロ個、1個又は複数のチャネルを終端させ、残りのチャネル及び何れかのアッドされたチャネルを多重化し、多重化信号を光ネットワーク１０に沿って送るよう動作可能な何れかのWSSや他の装置を備え得る。
【００５８】
逆多重化装置５８及び６６は、光信号を受信し、光信号におけるチャネルを逆多重化するよう動作可能な何れかの装置を備え得る。例えば、逆多重化装置５８及び６６はWSS又はAWGであり得る。しかし、何れかの他の適切な逆多重化装置５８及び６６を用いることができる。VOA５９及び６７は、出力チャネルの電力レベルをバランスさせるよう動作可能なVOA又は何れかの他の装置を備え得る。
【００５９】
TDC６０は、別々の変調手法を用いた複数のチャネル組のそれぞれにおいて光学分散を補償するよう動作可能な何れかの装置を備え得る。チューニング可能な装置を説明しているが、何れかの他の適切な補償装置を用い得る。
【００６０】
増幅器６２及び６８は、図１に関して前述した増幅器２６と同じであり得るものであり、よって、再度説明しないものとする。２つの増幅器を例として示しているが、何れかの適切な数の増幅器（適切な場合、増幅器がないケースを含む）を用い得る。
【００６１】
動作上、増幅器２６は、光ネットワーク１０上で通信される光信号を受信し、光信号を増幅し、光信号をDCM３０に転送する。前述の通り、光信号は、1つ又は複数の１０GB/秒のNRZチャネル及び１つ又は複数の４０GB/秒のDPSK/DQPSKチャネルを含む。DCM３０は、光信号を受信し、この信号に対して光学分散補償を行う。例示的な実施例では、前述の通り、DCM３０は、１０GB/秒のNRZチャネル組に対して完全な分散補償を行い、４０GB/秒のDPSKチャネル又はDQPSKチャネルの組に対して不完全な分散補償を行う。NRZチャネルの完全な分散補償は、１０GB/秒のNRZチャネルにおける最適な分散補償の場合の、図２Aに示す結果に相互に関連している。図２A及び図２Bに示すように、NRZチャネルの完全な光学分散補償は、DPSK/DQPSKチャネルが不完全な光学分散補償を受けることを意味する。
【００６２】
ADM７１では、第１のカプラ５２は光信号をDCM３０から受信し、この光信号を２つの複製に分離し、第１の複製をWSS５４に送り、第２の複製をカプラ５６にドロップする。WSS５４は、第１の複製を受信し、４０GB/秒のDPSKチャネル又はDQPSKチャネルを（完全に補償されていないので）終端させ、それによって、下記の通り、（トラフィックが特定のNRZチャネルにおいてアッドされていない限り）完全に補償された１０GB/秒のNRZチャネルが通ることが可能になる。
【００６３】
第２のカプラ５６は、第２の複製を受信し、第２の複製を２つの更なる複製（第３の複製及び第４の複製）に分離し、第３の複製を逆多重化装置５８にドロップし、第４の複製をTDC６０に送る。逆多重化装置５８は第３の複製を受信し、第３の複製のチャネルを分離する。VOA５９は次いで、分離されたチャネルのレベルを減衰させて、必要に応じて、分離されたチャネルをバランスさせることができる。１０GB/秒のNRZチャネルが完全に補償されているので、１０GB/秒のNRZチャネルそれぞれを次いで、ADM７１の1つ又は複数のクライアント装置に、（又は他の適切な宛先に）通信するために、関連した受信器に直接ドロップすることができ、又は終端させることができる。４０GB/秒のDPSK/DQPSKチャネルは（完全に補償されていないので）全て終端される。
【００６４】
TDC６０は、第４の複製を受信し、（図２Bに示すように）４０GB/秒のDPSKチャネル又はDQPSKチャネルに対する分散補償を完了し、第４の複製を増幅器６２に転送する。なお、１０GB/秒のNRZチャネルは、TDC６０に入る前に既に完全に補償されているので、TDC６０から出力された１０GB/秒のNRZチャネルは過補償される。増幅器６２は第４の複製を受信し、第４の複製を増幅し、第４の複製を第３のカプラ６４に転送する。第３のカプラ６４は、第４の複製を受信し、第４の複製を更なる２つの複製（第５の複製及び第６の複製）に分離し、第５の複製を逆多重化装置６６にドロップし、第６の複製をWSS５４に送る。
【００６５】
逆多重化装置６６は、第５の複製を受信し、第５の複製のチャネルを分離する。VOA６７は次いで、分離されたチャネルのレベルを減衰して、必要に応じて、分離されたチャネルをバランスさせることができる。４０GB/秒のDPSK/DQPSKチャネルは完全に補償されているので、４０GB/秒のDPSK/DQPSKチャネルそれぞれは次いで、ADM７１の1つ又は複数のクライアント装置に、（又は他の適切な宛先に）通信するために、関連した受信器に直接ドロップすることができ、又は終端させることができる。１０GB/秒のNRZチャネルは（過補償されているので）全て終端される。
【００６６】
WSS５４は、第６の複製を受信し、（過補償されているので）１０GB/秒のNRZチャネルを終端させ、第１の複製からの完全に補償された１０GB/秒のNRZチャネルと、完全に補償された４０GB/秒のDPSKチャネル又はDQPSKチャネルを合成する。しかし、WSS５４は、ADM７１が４０GB/秒のチャネルの宛先ノードである場合、及び/又はトラフィックがADM７１でそのチャネルにおいて（矢印６９によって示すように）アッドされる場合、特定の４０GB/秒のDPSK/DQPSKチャネルを終端させることができる。WSS５４は、１０GB/秒のNRZチャネルの1つ又は複数においてADM７１から来るトラフィックをアッドすることもできる（その場合、第１の複製におけるこうしたチャネルは終端される）。WSS５４は次いで、補償された１０GB/秒のNRZチャネル及び補償された４０GB/秒のDPSK/DQPSKチャネル、並びに何れかのアッドされたチャネルを備える新たな光信号を増幅器６８に転送する。増幅器６８は、新たな光信号を受信し、新たな光信号を増幅し、新たな光信号を光ネットワーク１０に沿って送る。
【００６７】
前述のOADM７０は、４０GB/秒のDPSK/DQPSKチャネル組及び１０GB/秒のNRZチャネル組における分散を補償するが、2組のチャネルは、図１の説明において列挙したものを含む、前述のものとは異なるビットレート又は変調形式を有し得る。更に、OADM７０は、（例えば、違ったふうに補償する対象の、光信号の更なる複製をカプラ５６で作成することによって）別々の変調手法を用いる3組以上のチャネルにおいて光学分散を完全に補償することができる。
【００６８】
図５A及び図５Bは、本発明の更に別の実施例による、光学分散を補償するOADM９２（図１のネットワークのOADM３１の一例）を示す構成図である。以下に更に詳細に説明するように、図５Aは、一変調手法を用いて変調される、特定のチャネル内の信号のOADM９２を通る経路を示し、図５Bは、別の変調手法を用いて変調される、特定のチャネル内の信号の、同様なOADM９２を通る経路を示す。例示的なネットワーク１０では、図５Aは１０GB/秒のNRZチャネルの経路を示し、図５Bは４０GB/秒のDPSK/DQPSKチャネルの経路を示す。なお、各信号のうちの１つのみ（１０GB/秒の１つのNRZ信号及び４０GB/秒の１つのDPSK/DQPSK信号）を示しているが、図示した構成部分組を各信号が有する、同じOADM９２を通過する複数の１０GB/秒のNRZ信号及び４０GB/秒のDPSK/DQPSK信号があり得る。
【００６９】
図５A及び図５BのQADM９２は、図１に示すような増幅器２６及び関連したDCM３０を、ADM９３（図１に示すADM３２の一例）とともに含む。増幅器２６及びDCM３０は、図１の例示的な実施例の説明において前述したが、これらの装置は再度説明しないものとする。しかし、増幅器２６及びDCM３０は図５A及び図５Bでは合成して示しているが、増幅器２６及びDCM３０も分離することができる。
【００７０】
図５A及び図５BのADM９３は、光ネットワーク１０上で光信号を受信し、下記の通り、関連したDCM３０によって分散補償が完了していないチャネル組における光学分散補償を完了するよう動作可能である。図５A及び図５Bの例示的な実施例では、ADM９３は、４０GB/秒のDPSK/DQPSKチャネルにおける完全な光学分散補償を行うよう動作可能である。ADM９３は、逆多重化装置７２と、多重化装置８８と、増幅器９０と、カプラ７４及び2×１スイッチ７６を含む1つ又は複数の構成部分組と、分散補償モジュール（DCM）７８と、1×2スイッチ８０と、増幅器８２と、2×１スイッチ８４とを含む1つ又は複数の構成部分組とを含み得る。なお、カプラ７４及び2×1スイッチ７６は既に、図５A及び図5Bに示すように、ADM９３において逆多重化されたチャネル毎に設けることができる。DCM７８、1×２スイッチ８０、増幅器８２、及び２×１スイッチ８４は次いで、４０GB/秒のDPSK/DQPSKチャネルについてアッドして、図５Bに示すようにこれらのチャネルにおける光学分散補償を完了し得る。
【００７１】
逆多重化装置７２は、光信号を受信し、光信号の構成チャネルを分離するよう動作可能な何れかの装置を備え得る。例えば、逆多重化装置７２はWSS又はAWGであり得る。しかし、何れかの他の適切な逆多重化装置７２を用いることができる。
【００７２】
カプラ７４は、光信号を分離するよう動作可能な光ファイバー・カプラ又は他の光構成部分を備え得る。カプラ７４は、光信号を、該光信号の２つの複製に分離するよう構成可能である。
【００７３】
２×１スイッチ７６及び８４は、２つのソースのうちの一方から光信号を受信し、受信された光信号を一宛先に転送するよう動作可能な２×１スイッチ又は何れかの他の装置を備え得る。２×１スイッチ７６又は８４が開いている場合、２×１スイッチ７６又は８４は、第１のソースからの光信号を通し、第２のソースからの光信号を終端させるよう動作可能である。２×１スイッチ７６又は８４が閉じている場合、２×１スイッチ７６又は８４は、第２のソースからの光信号を通し、第１のソースからの光信号を終端させるよう動作可能である。
【００７４】
１×２スイッチ８０は、光信号を受信し、受信された光信号を２つの宛先のうちの１つに転送するよう動作可能な１×２スイッチ又は何れかの他の装置を備え得る。１×２スイッチ８０が開いている場合、１×２スイッチ８０は、第１の宛先に受信光信号を転送するよう動作可能であり、受信光信号を第２の宛先に転送するものでない。１×２スイッチ８０が閉じている場合、１×２スイッチ８０は、受信光信号を第２の宛先に転送するよう動作可能であり、受信光信号を第１の宛先に転送するものでない。
【００７５】
DCM７８は、１つの変調手法を用いてチャネルに対する光学分散補償を完了するよう動作可能なDCF又は他の装置を含み得る。
【００７６】
増幅器８２及び９０は、図１に関して前述した増幅器２６と同じであり得るものであり、よって、再度説明しないものとする。２つの増幅器を例として示しているが、何れかの適切な数の増幅器（適切な場合、増幅器がないケースも含む）を用いることができる。
【００７７】
多重化装置８８は、異なるチャネルを光信号に合成するよう動作可能な何れかの多重化装置又は何れかの他の装置を備え得る。例えば、多重化装置８８はＡＷＧであり得る。しかし、何れかの他の適切な多重化装置を用いることができる。
【００７８】
動作上、増幅器２６は、光ネットワーク１０上で通信される光信号を受信し、この光信号を増幅し、この光信号をDCM３０に転送する。前述の通り、光信号は、１つ又は複数の１０GB/秒のNRZチャネル、及び1つ又は複数の４０GB/秒のDPSK/DQPSKチャネルを含む。DCM３０は、光信号を受信し、この信号に対して光学分散補償を行う。例示的な実施例では、前述の通り、DCM３０は、１０GB/秒のNRZチャネル組に対して完全な分散補償を行い、４０GB/秒のDPSKチャネル又はDQPSKチャネルの組に対して不完全な分散補償を行う。NRZチャネルの完全な分散補償は、１０GB/秒のNRZチャネルにおける最適な分散補償の場合の、図２Aに示す結果と相互に関連している。図２A及び図２Bに示すように、NRZチャネルの完全な光学分散補償は、DPSK/DQPSKチャネルが、不完全な光学分散補償を受信することを意味する。
【００７９】
ADM９３では、逆多重化装置７２は、光信号を受信し、光信号におけるチャネルを逆多重化する。各チャネルは次いで、その関連したカプラ７４に進む。１０GB/秒のNRZチャネルのそれぞれに関しては、光学分散補償がこれらのチャネルのそれぞれについて完了しているので、DCM７８、１×２スイッチ８０、増幅器８２及び２×１スイッチ８４を含む光構成部分組は、図５Aに示すように、これらのチャネルに設けなくてよい。１０GB/秒のNRZチャネルそれぞれがその関連したカプラ７４に進んだ後、関連したカプラ７４はチャネル内の信号を受信し、信号を２つの複製に分離する。第１の複製は、ADM９３の1つ又は複数のクライアント装置に、（又は他の適切な宛先に）通信するために、関連した受信器にドロップするか、又は終端させることができる。第１の複製の終端は、例えば、カプラ７４のドロップ・リードが終端される場合、生じることになる。第２の複製は、２×１のスイッチ７６に転送することができる。２×１スイッチ７６は、第２の複製を終端させるか、又は第２の複製を多重化装置８８に送り得る。例えば、２×１スイッチ７６は、チャネルのアッド信号８５が送信器から２×１スイッチ７６で受信される場合、第２の複製を終端させことができる。さもなければ、スイッチ７６は第２の複製を通すことができる。
【００８０】
図５Bに示すように、４０GB/秒のDPSK/DQPSKチャネルのそれぞれに関しては、関連したカプラ７４は、チャネル内の信号を受信し、信号を２つの複製に分離し、第１の複製を２×１スイッチ７６に送り、第２の複製をDCM７８にドロップする。２×１スイッチ７６は（補償が完全でないので）第１の複製を終端させる。
【００８１】
DCM７８は、第２の複製を受信し、第２の複製に対して分散補償を完了し、第２の複製を１×２スイッチ８０に転送する。１×２スイッチ８０は第２の複製を受信する。４０GB/秒のDPSK/DQPSKチャネルは完全に補償されているので、４０GB/秒のDPSK/DQPSKチャネルは次いで、ADM９３の1つ又は複数のクアイアント装置に、（又は他の適切な宛先に）通信するために、関連した受信器に直接、ドロップすることができる。あるいは、１×２スイッチ８０は、チャネル内の信号がこの特定のADM９３に宛てられたものでない場合に第２の複製を増幅器８２に送り得る。
【００８２】
１×２スイッチ８０が第２の複製を通す場合、増幅器８２は第２の複製を受信し、第２の複製を増幅し、第２の複製をスイッチ８４に転送する。２×１スイッチ８４は、第２の複製を受信し、第２の複製をスイッチ７６に送る。あるいは、チャネル内の信号がスイッチ８０によってドロップされた場合、スイッチ８４はそのチャネル内のアッド信号８６を受信し、この信号８６をスイッチ７６に送り得る。２×１スイッチ７６は、第２の複製、又はアッドされた信号８６を逆多重化装置８８に送る。多重化装置８８は信号（第２の複製、又はアッドされた信号８６）を受信し、この信号を、元の信号（、又は、アッドされた１つ若しくは複数の１０GB/秒のNRZ信号８５）からの、完全に補償された１つ若しくは複数の１０GB/秒のNRZチャネル内の信号、及び/又は他の同様に補償された１つ若しくは複数の４０GB/秒のDPSK/DQPSK信号と多重化する。多重化装置８８は次いで、多重化された信号を増幅器９０に送る。増幅器９０は、多重化された信号を受信し、この信号を増幅し、この信号を光ネットワーク１０に沿って送る。
【００８３】
前述のOADM９２は、４０GB/秒のDPSK/DQPSK組のうちの１つにおける分散を補償するが、１つのDPSK/DQPSKチャネルの光学分散補償方法を用いて、多重化された他の４０GB/秒のDPSKチャネル又はDQPSKチャネルのうちの１つ又は複数における光学分散を補償することも可能である。１０GB/秒の１つ又は複数のNRZチャネルを、前述のように、ADM９３の両端間で送るか、ADM９３でアッドするか、かつ/又はADM９３でドロップすることもできる。
【００８４】
前述のOADM９２は４０GB/秒のDPSK/DQPSKチャネル組及び１０GB/秒のNRZチャネル組における分散を補償するが、この２組のチャネルは、図１の説明において上記で列挙したものを含む、前述のものとは異なるビットレート又は変調形式を有し得る。更に、OADM９２は、別々の変調手法を用いる３組以上のチャネルにおける光学分散を完全に補償し得る。
【００８５】
修正、追加又は省略を、本発明の範囲から逸脱することなく前述のOADMに行うことができる。前述のOADMの構成部分は、特定の必要性に応じて一体化させるか、又は分離することができる。更に、OADMの動作は、より多くの、より少ない、又は他の構成部分によって行うことができる。
【００８６】
図６は、少なくとも２つの別々の変調形式を用いたチャネルを備えた光ネットワークの別の実施例を示す構成図である。図１の例示的なネットワーク１０のように、図６の例示的な光ネットワーク１００は、別々の変調手法を用いたチャネルを備えた信号における光学分散を最適に補償するという前述の問題に対処する。やはり、この問題は、光ネットワーク・オペレータがそのネットワークを一定部分ずつ更新してネットワーク容量を増やそうとすることによって生じている。特に、このオペレータは、更新された送信器の、既存の送信器との一体化という費用効率の高いストラテジによってネットワーク容量を増やそうとした。このストラテジによって、違ったふうに変調されたチャネルを備えた信号における光学分散を最適に補償するという問題に対する解決策の必要性が生じており、変調の差は、信号を違ったふうに変調する種々のタイプの送信器による。
【００８７】
図６の例示的なネットワーク１００は、違ったふうに変調されたチャネルを備える信号における分散を最適に補償するという問題に対処する例示的なネットワーク１０における手法とは別の手法を提供する。例示的なネットワーク１０におけるように違ったふうに信号内の、違ったふうに変調されたチャネル組それぞれを補償するかわりに、図６の例示的なネットワーク１００は、光信号内のチャネル全てに同じ分散補償を施す。
【００８８】
例示的なネットワーク１０のように、例示的な光ネットワーク１００は、少なくとも２つの別々の変調形式を用いた複数のチャネルを備える信号を搬送するよう動作可能である。光ネットワーク１００は、光ネットワーク１００の構成部分によって通信される１つ又は複数の光信号を伝送するよう動作可能な１つ又は複数の光ファイバー１０２も含む。光ファイバー１０２によって一緒に結合される光ネットワーク１００の構成部分は、終端ノード120a及び120b、並びに1つ又は複数の光アッド/ドロップ多重化装置（OADM）１４０を含む。終端ノード120a及びファイバー102は、図１に関して前述した終端ノード12a及びファイバー２８と同じであり得るものであり、よって、再度説明しないものとする。光ネットワーク１００は、終端ノードを備えたポイントツーポイント光ネットワークとして示しているが、光ネットワーク１００は、リング型光ネットワーク、メッシュ型光ネットワーク、又は何れかの他の適切な光ネットワーク、若しくは光ネットワークの組み合わせとして構成することもできる。光ネットワーク１００は、短距離メトロポリタン・ネットワーク、長距離都市間ネットワーク、又は何れかの他の適切なネットワーク、若しくはネットワークの組み合わせにおいて用いることができる。
【００８９】
信号がネットワークにわたって進むにつれ、信号内のチャネル全てが同じ分散補償を受ける例示的なネットワーク１００では、各チャネルに施される分散補償量は、交差位相変調（XPM）などの、信号内のチャネル間作用を削減するよう選び得る。ネットワーク１００では、チャネル間作用を削減するのに必要な補償は、信号によって搬送される、違ったふうに変調された信号組によって変わってくる場合がある。例として、かつ限定なしで、2組のチャネル（１０GB/秒のNRZチャネル及び４０GB/秒のDPSK/DQPSKチャネル）それぞれを単一モード・ファイバー（SMF）を介して搬送する信号では、こうした信号に対して一様な不足補償を行うこと、又は、全てのチャネルがゼロ分散を表すようにこうした信号を補償することによって、最適又は近最適にチャネル間作用が削減されない場合があることが実験によって明らかになった。その代わりに、（一部の検査では約１１０％過補償と約１１５％過補償との間の）一様な過補償を全てのチャネルに施すことによって、チャネル間作用が最も削減された。しかし、違ったふうに変調された別々のチャネル組を搬送する信号は、チャネル間作用を最適又は近最適に削減するよう別の分散補償を必要とし得る。
【００９０】
こうした結果に照らせば、例示的なネットワーク１００の特定の実施例は、１０GB/秒のNRZチャネル及び４０GB/秒のDPSK/DQPSKチャネルを備える信号に対して一様な分散過補償を、こうした信号がネットワークにわたって進むにつれ、行う。特定の実施例では、１０GB/秒のNRZチャネル及び４０GB/秒のDPSK/DQPSKチャネルを備える信号は、例えば、約１１０％と約１１５％との間の過補償を受け得る。なお、こうした信号におけるチャネルは、OADM１４０でドロップされるか、又は終端ノード120bで受信される場合に更なる補償を受けて、下記のようにチャネルの特定のデータレート及び/又は変調形式に最適又は近最適な分散補償を備え得る。
【００９１】
例示的なネットワーク１００のOADM１４０は、増幅器１１０及び関連した光学分散補償モジュール１４２（DCM）、並びにアッド/ドロップ・モジュール１４４（ADM）を含む。増幅器１１０は、図１に関して前述した増幅器２６と同じであり得るものであり、よって、再度説明しないものとする。DCM１４２は、光学分散を過補償するよう動作可能な何れかのDCF、TDC、可変分散補償器（VDC）、又は他の装置を含む。信号は、その特性を向上させるうえで適切な何れかの量、過補償し得る。この量は、例えば、かつ、限定なしで、各DCM１４２で約１１０％と約１１５％との間の過補償を含み得る。例示的なネットワーク１００は、DCM１４２の、それぞれの増幅器１１０への結合を示すが、DCM１４２は、増幅器１１０から別個に配置させることもできる。
【００９２】
ADM１４４は、ファイバー１０２から光信号のアッド及び/又はドロップを行うよう動作可能な何れかの装置、又は装置の組み合わせを含む。ADM１４４は、例示的なネットワーク１００において、信号に対する光学分散補償を完了するよう動作可能な何れかの装置、又は装置の組み合わせも含み得る。ADM１４４装置は、例えば、上記図３乃至図５に示す装置を含み得る。しかし、図３乃至図５の装置は、（図３乃至図５におけるように、不足補償された４０GB/秒のDPSK/DQPSKチャネルに対する光学分散補償を完了することに対して）過補償された４０GB/秒のDPSK/DQPSKチャネルに対する光学分散補償を完了するよう修正することが必要になる。
【００９３】
例示的なネットワーク１００の終端ノード120bは、光ネットワーク１００を介して送信された信号を受信し、光学分散についてこうした信号を補償するよう動作可能である。DCM３０をDCM１４２によって置き換える以外は、終端ノード120bは、図１に関して前述した終端ノード12bと同じであり得るものであり、よって再度説明しないものとする。更に、DCM１４２は、OADM１４０の説明において前述しているので、再度説明しないものとする。しかし、例示的なネットワーク１００は、個別の増幅器１１０に結合されたDCM１４２を示すが、DCM１４２は、増幅器１１０から別個に配置させることもできる。なお、例示的な光ネットワーク１００に示していないが、特定の実施例では、４０GB/秒のDPSK/DQPSK信号は、例えば、逆多重化された４０GB/秒のDPSK/DQPSK信号が受信器１１８で受信される前にTDCや他の分散補償装置を用いて終端ノード12bで補償することができる。
【００９４】
図７は、図６の光ネットワークにおける信号の光学分散補償を示すグラフである。特に、グラフは、光ネットワーク１００のDCM１４２によって行われる光学分散過補償を示す。垂直軸は、累算光学分散を表す。水平軸は、光信号が進んだ距離（信号が進んだ光ファイバー・スパン数）を表す。ΔDLは、最適な（又は近最適な）特性のために各スパン後に例示的な実施例における信号が表す残留光学分散を表す。
【００９５】
図７は、各スパン後に例示的なネットワーク１００内の信号に対してDCM１４２が光学分散過補償を行う方法を示す。特定の実施例では、各DCM１４２は、ファイバー１０２のスパンにわたって累算された分散よりもΔDL、大きな量で分散を過補償する。よって、信号が進んだ第１のスパン後、DCM１４２は、累算された分散がΔDLに等しくなるように信号を補償することになる。N個のスパンにわたって、累算された分散はN（ΔDL）に等しい。特定の実施例では、前述のように、終端ノード120bの受信器118によって受信される前に、４０GB/秒のDPSK/DQPSK信号は、例えば、更なるTDC（図６に図示していない）などの更なる分散補償装置によって補償することができる。図７は、特定の実施例において、更なる分散補償が、４０GB/秒のDPSK/DQPSK信号に対して、こうした装置によって、こうした信号がゼロ累算光学分散を備えるように施される。１０GB/秒のNRZ信号は、受信器１１６によって受信される前に更なる補償を何ら必要としない場合がある。
【００９６】
再度図６を参照すれば、動作上、終端ノード120aの送信器１０４及び送信器１０６は、別々のチャネルを介して、異なるビットレートで、かつ/又は別々の変調手法を用いて情報を送信する。多重化装置１０８は、こうした別々のチャネルを光信号に合成し、光ファイバー１０２を介してこの信号を通信する。増幅器１１０は、光信号を受信し、この信号を増幅し、光ファイバー１０２を介してこの信号を送る。光ファイバー１０２は、この信号をOADM104aに伝送する。OADM140aの増幅器１１０は、この信号を増幅し、この信号をDCM１４２に送る。やはり、増幅器は、ネットワーク１００上のDCM１４２とは別個に、DCM１４２の前に、又はDCM１４２の後に配置させることができる。
【００９７】
OADM140aのDCM142はこの信号を受信し、この信号に対して光学分散過補償を行う。この信号は、信号の特性を向上させるうえで適切な何れかの量、過補償することができる。この量は、例えば、かつ限定なしで、各DCM１４２で約１１０％と約１１５％との間の過補償を含み得る。
【００９８】
DCM１４２は、信号を、この信号がΔDL過補償を表すように過補償した後、この信号をOADM140aのADM１４４に転送する。ADM１４４は、光信号との間でのチャネルのドロップ及び/又はアッドを行い得る。光チャネルの何れかをドロップする前に、ADM１４４は、例えば、上記図３乃至図５に示す方法を用いることなどによって、チャネルに対して光学分散補償を完了することができる。前述の通り、修正及び追加を、OADM１４０でドロップされる、過補償されたチャネルに対して（例えば、過補償された４０GB/秒のDPSK/DQPSKチャネルに対してなど）完全な光学分散補償を備えるよう図３乃至図５の方法に行うことが必要であり得る。ADM１４４は次いで、過補償された信号を、ファイバー１０２を介して転送する。
【００９９】
1つ又は複数のOADM（OADM140a及び140bなど）を信号が通過した後、終端ノード120bのDCM１４２は、転送された信号を受信し、信号に対して光学分散過補償を行う。DCM１４２は次いで、光信号を逆多重化装置１１４に転送する。逆多重化装置１１４は信号を受信し、信号の構成チャネルに信号を逆多重化し、信号の構成チャネルを通す。各チャネルは、終端ノード120bの関連した受信器１１６又は１１８によって受信され、転送される。図６に示していないが、特定の実施例では、完全な光学分散補償（約１００％補償）を、前述のように終端ノード120bで４０GB/秒のDPSK/DQPSKチャネルに対して行うことができる。
【０１００】
修正、追加、又は省略は、本発明の範囲から逸脱することなく、前述のネットワーク１００に行うことができる。前述のネットワーク１００の構成部分は、特定の必要性に応じて一体化させるか、又は分離することができる。更に、ネットワーク１００の動作は、より多くの、より少ない、又は他の構成部分によって行うことができる。
【０１０１】
本発明をいくつかの実施例によって説明したが、種々の変更及び修正が当業者に分かり得る。本発明が、特許請求の範囲内に収まる前述の変更及び修正を包含することが意図されている。
（付記１）  光信号の分散補償の方法であって、
複数のチャネルを備える光信号を受信する工程であって、前記チャネルのうちの1つ又は複数の第１の組において通信される情報は第１の変調手法を用いて変調され、前記チャネルのうちの1つ又は複数の第２の組において通信される情報は第２の変調手法を用いて変調される工程と、
前記第１のチャネル組の分散補償が完全であるように、かつ前記第２のチャネル組の分散補償が不完全であるように前記光信号における光学分散を補償する工程と、
前記光信号を少なくとも前記光信号の第１の複製と前記光信号の第２の複製とに分離する工程と、
前記第１の複製における前記第２のチャネル組を終端させる工程と、
前記第２のチャネル組の分散補償が完全であるように前記第２の複製に対して更なる分散補償を行う工程と、
前記第２の複製における前記第１のチャネル組を終端させる工程とを備えることを特徴とする方法。
（付記２）  前記第１のチャネル組において通信される情報は１０GB/秒で通信され、
前記第２のチャネル組において通信される情報は４０GB/秒で通信されることを特徴とする付記1記載の方法。
（付記３）  前記光信号の前記第１の複製及び前記第２の複製における残りのチャネルを合成して、補償された光信号を形成する工程を更に備えることを特徴とする付記1記載の方法。
（付記４）  前記第２の複製に対して分散補償を行う前に、前記第２の複製を第３の複製及び第４の複製に分離する工程であって、前記更なる分散補償は前記第４の複製に対して行われる工程と、
前記第３の複製の前記チャネルを逆多重化する工程と、
前記第３の複製の前記チャネルのうちの1つ又は複数における情報を1つ又は複数のクライアント装置にドロップする工程とを備えることを特徴とする付記1記載の方法。
（付記５）  前記第２のチャネル組にある、前記クライアント装置にドロップされる前記チャネルの何れかに対して更なる分散補償を行う工程を更に備えることを特徴とする付記4記載の方法。
（付記６）  前記第２の複製に対して分散補償を行う前に、前記第２の複製を第３の複製及び第４の複製に分離する工程であって、前記更なる分散補償が前記第４の複製に対して行われる工程と、
前記第３の複製の前記チャネルを逆多重化する工程と、
前記第３の複製の前記第１のチャネル組のうちの1つ又は複数における情報を1つ又は複数のクライアント装置にドロップする工程と、
前記第２のチャネル組の分散補償が完全であるように前記第４の複製に対して分散補償を行った後、前記第４の複製の前記第２のチャネル組のうちの１つ又は複数における情報を1つ又は複数のクライアント装置にドロップする工程とを更に備えることを特徴とする付記1記載の方法。
（付記７）  複数のチャネルを備える光信号を受信するよう動作可能な光学分散補償システムであって、前記チャネルのうちの1つ又は複数の第１の組において通信される情報は第１の変調手法を用いて変調され、前記チャネルのうちの1つ又は複数の第２の組において通信される情報は第２の変調手法を用いて変調され、
前記第１のチャネル組の分散補償が完全であるように、かつ前記第２のチャネル組の分散補償が不完全であるように前記光信号における光学分散を補償するよう動作可能な第１の分散補償装置と、
前記光信号を前記第１の分散補償装置から受信し、少なくとも前記光信号の第１の複製と前記光信号の第２の複製とに分離するよう動作可能なカプラと、
前記第２の複製を受信し、前記第２のチャネル組の分散補償が完全であるように前記第２の複製に対して更なる分散補償を行うよう動作可能な第２の分散補償装置と、
前記光信号の前記第１の複製内の前記第２のチャネル組を終端させるよう動作可能であり、前記光信号の前記第２の複製内の前記第１のチャネル組を終端させるよう動作可能なスイッチとを備えることを特徴とするシステム。
（付記８）  前記第１のチャネル組において通信される情報は、１０GB/秒で通信され、
前記第２のチャネル組において通信される情報は、４０GB/秒で通信されることを特徴とする付記７記載のシステム。
（付記９）  前記スイッチは、前記第１の複製及び前記第２の複製における残りのチャネルを合成して、補償された光信号を形成するよう更に動作可能であることを特徴とする付記７記載のシステム。
（付記１０）  前記光信号の前記第２の複製を第３の複製及び第４の複製に分離するよう動作可能な第２のカプラ装置であって、前記第２の分散補償装置が、前記第４の複製に対して更なる分散補償を行うよう動作可能である第２のカプラ装置と、
前記第３の複製の前記チャネルを逆多重化し、前記第３の複製の前記チャネルの1つ又は複数における情報を1つ又は複数のクライアント装置にドロップするよう動作可能な逆多重化装置とを更に備えることを特徴とする付記７記載のシステム。
（付記１１）  前記逆多重化装置によって前記クライアント装置にドロップされる、前記第２のチャネル組内のチャネルに対して更なる分散補償をそれぞれが動作可能な1つ又は複数の第３の分散補償装置を更に備えることを特徴とする付記１０記載のシステム。
（付記１２）  前記光信号の前記第２の複製を第３の複製及び第４の複製に分離するよう動作可能な第２のカプラ装置であって、前記第２の分散補償装置が、前記第４の複製に対して更なる分散補償を行う第２のカプラ装置と、
前記第３の複製の前記チャネルを逆多重化し、前記第３の複製の前記チャネルの1つ又は複数における情報を1つ又は複数のクライアント装置にドロップするよう動作可能な逆多重化装置と、
前記第４の複製が前記第２の分散補償装置によって補償された後に、前記第４の複製の前記第２のチャネル組のうちの1つ又は複数における情報を1つ又は複数のクライアント装置にドロップするよう動作可能な第２の逆多重化装置とを更に備えることを特徴とする付記７記載のシステム。
（付記１３）  光信号の分散補償の方法であって、
複数のチャネルを備える光信号を受信する工程であって、前記チャネルの1つ又は複数の第１の組において通信される情報が第１の変調手法を用いて変調され、前記チャネルの1つ又は複数の第２の組において通信される情報が第２の変調手法を用いて変調され、
前記第１のチャネル組の分散補償が完全であるように、かつ前記第２のチャネル組の分散補償が不完全であるように前記光信号における光学分散を補償する工程と、
前記光信号を、前記光信号の構成チャネルに逆多重化する工程と、
逆多重化後に、前記第２のチャネル組の分散補償が完全であるように前記第２のチャネル組に対して更なる分散補償を行う工程と、
前記第１のチャネル組及び前記第２のチャネル組を多重化して、補償された光信号を形成する工程とを備えることを特徴とする方法。
（付記１４）  前記第１のチャネル組において通信される情報は１０GB/秒で通信され、
前記第２のチャネル組において通信される情報は４０GB/秒で通信されることを特徴とする付記１３記載の方法。
（付記１５）  複数のチャネルを備える光信号を受信するよう動作可能な光学分散補償システムであって、前記チャネルのうちの1つ又は複数の第１の組において通信される情報は第１の変調手法を用いて変調され、前記チャネルのうちの1つ又は複数の第２の組において通信される情報は第２の変調手法を用いて変調され、
前記第１のチャネル組の分散補償が完全であるように、かつ前記第２のチャネル組の分散補償が不完全であるように前記光信号における光学分散を補償するよう動作可能な第１の分散補償装置と、
前記光信号を前記第１の分散補償装置から受信し、前記光信号を前記光信号の構成チャネルに逆多重化するよう動作可能な逆多重化装置と、
前記第２のチャネル組におけるチャネルを前記逆多重化装置から受信し、前記チャネル内の前記信号に対して更なる分散補償を、前記チャネル内の前記信号の分散補償が完全であるように行うようそれぞれが動作可能な1つ又は複数の第２の分散補償装置と、
前記第１のチャネル組及び前記第２のチャネル組を多重化して、補償された光信号を形成するよう動作可能な多重化装置とを備えることを特徴とするシステム。
（付記１６）  前記第１のチャネル組において通信される情報が１０GB/秒で通信され、
前記第２のチャネル組において通信される情報が４０GB/秒で通信されることを特徴とする付記１５記載のシステム。
（付記１７）  光信号の分散補償の方法であって、
複数のチャネルを備える光信号を受信する工程であって、前記チャネルのうちの1つ又は複数の第１の組において通信される情報は第１の変調手法を用いて変調され、前記チャネルのうちの1つ又は複数の第２の組において通信される情報は第２の変調手法を用いて変調される工程と、
前記光信号の前記チャネルの全てにわたって前記光信号における光学分散を一様に過補償する工程とを備えることを特徴とする方法。
（付記１８）  前記光信号の前記チャネル全てが、約１１０％乃至約１１５％の範囲で一様に過補償されることを特徴とする付記１７記載の方法。
（付記１９）  前記第１のチャネル組において通信される情報が１０GB/秒で通信され、
前記第２のチャネル組において通信される情報が４０GB/秒で通信されることを特徴とする付記１７記載の方法。
（付記２０）  受信器での前記光信号の受信に備えて、かつ分散補償が実質的にゼロであるように前記第２のチャネル組に対して更なる補償を行う工程を更に備えることを特徴とする付記１９記載の方法。
（付記２１）  光信号の分散補償のシステムであって、
複数のチャネルを備える光信号を受信し、前記チャネルのうちの1つ又は複数の第１の組において通信される情報が第１の変調手法を用いて変調され、前記チャネルのうちの1つ又は複数の第２の組において通信される情報が第２の変調手法を用いて変調され、かつ、
前記光信号の前記チャネル全てにわたって前記光信号における光学分散を一様に過補償するよう動作可能な第１の分散補償装置を備えることを特徴とするシステム。
（付記２２）  前記光信号の前記チャネル全てが１１０％乃至１１５％の範囲で一様に過補償されることを特徴とする付記２１記載のシステム。
（付記２３）  前記第１のチャネル組において通信される情報が１０GB/秒で通信され、
前記第２のチャネル組において通信される情報が４０GB/秒で通信されることを特徴とする付記２１記載のシステム。
（付記２４）  受信器に関連しており、前記受信器での前記光信号の受信に備えて、かつ分散補償が実質的にゼロであるように前記第２のチャネル組に対して更なる補償を行うよう動作可能な第２の分散補償装置を更に備えることを特徴とする付記２３記載のシステム。
【図面の簡単な説明】
【０１０２】
【図１】少なくとも２つの別々の変調形式を用いた複数のチャネル組を備える信号を搬送する光ネットワークの一実施例を示す構成図である。
【図２Ａ】図１のチャネル組について最適光学分散補償における差を示すグラフである。
【図２Ｂ】図１のチャネル組について最適光学分散補償における差を示すグラフである。
【図３】本発明の特定の実施例による、光学分散を補償する、図１のネットワークの光アッド／ドロップ多重化装置を示す構成図である。
【図４】本発明の別の実施例による、光学分散を補償する、図１のネットワークの別の光アッド／ドロップ多重化装置を示す構成図である。
【図５Ａ】本発明の更に別の実施例による、光学分散を補償する、図１のネットワークの更に別の光アッド／ドロップ多重化装置を示す構成図である。
【図５Ｂ】本発明の更に別の実施例による、光学分散を補償する、図１のネットワークの更に別の光アッド／ドロップ多重化装置を示す構成図である。
【図６】少なくとも２つの別々の変調形式を用いたチャネルを備える光ネットワークの別の実施例を示す構成図である。
【図７】図６の光ネットワークにおける信号の光学分散補償を示すグラフである。
【符号の説明】
【０１０３】
２６  増幅器
３０  DCM
３４  カプラ
３６  WSS
３８  カプラ
４０  逆多重化装置
４１  VOA
４２  TDC
４４  TDC
４６  増幅器
４８  増幅器
５０  OADM
５１  ADM
【図１】
0004833818.tif 000002
【図２Ａ】
0004833818.tif 000003
【図２Ｂ】
0004833818.tif 000004
【図３】
0004833818.tif 000005
【図４】
0004833818.tif 000006
【図５Ａ】
0004833818.tif 000007
【図５Ｂ】
0004833818.tif 000008
【図６】
0004833818.tif 000009
【図７】
0004833818.tif 000010